(57)【特許請求の範囲】
【請求項１】
電力貯蔵装置であって、
容器、ナトリウム−硫黄電池の単電池及び電池内充放電経路を備え、前記容器が外壁及び伝熱壁を備え、前記容器の内部に単電池室及び空気室が形成され、前記伝熱壁が前記単電池室及び前記空気室を隔て、前記単電池及び前記電池内充放電経路が前記単電池室に収容される電池と、
前記電池内充放電経路に電気的に接続される電池外充放電経路と、
前記電池及び前記電池外充放電経路を収容する密閉容器と、
前記密閉容器の外部から前記空気室へ至る吸気経路が形成される吸気経路形成物と、
前記空気室から前記密閉容器の外部へ至る排気経路が形成される排気経路形成物と、
前記吸気経路、前記空気室及び前記排気経路を順次に流れる空気流を生成する生成機構と、
前記単電池室の冷却の要否を判定する判定部と、
前記単電池室の冷却が必要であると前記判定部が判定した場合に前記空気流を生成し前記単電池室の冷却が不要であると前記判定部が判定した場合に前記空気流を生成しないように前記生成機構を制御する生成制御部と、
を備える電力貯蔵装置。
【請求項２】
請求項１の電力貯蔵装置において、
前記電池は、
前記単電池室に収容される第１の温度センサー
をさらに備え、
前記判定部は、
前記第１の温度センサーにより計測された温度の上昇が基準以上である場合に前記単電池室の冷却が必要であると判定する
電力貯蔵装置。
【請求項３】
請求項２の電力貯蔵装置において、
前記密閉容器の外部に配置される第２の温度センサーと、
前記第２の温度センサーにより計測された温度が高くなるほど前記空気流の流量が多くなるように前記生成機構を制御する流量制御部と、
をさらに備える
電力貯蔵装置。
【請求項４】
請求項１の電力貯蔵装置において、
前記外壁を挟んで前記空気室と対向する断熱材
をさらに備える
電力貯蔵装置。
【請求項５】
請求項１の電力貯蔵装置において、
付属機器
をさらに備え、
電池室及び付属機器室が前記密閉容器の内部に形成され、
前記電池が前記電池室に収容され、
前記付属機器が前記付属機器室に収容され、
前記密閉容器は、
前記電池室及び前記付属機器室を隔てる隔壁
をさらに備える
電力貯蔵装置。
【請求項６】
請求項５の電力貯蔵装置において、
前記排気経路が前記付属機器室を経由しない
電力貯蔵装置。
【請求項７】
請求項１から請求項６までのいずれかの電力貯蔵装置において、
２個以上の前記単電池が前記空気室に平行な方向に配列される
電力貯蔵装置。
【請求項８】
電力貯蔵装置の運転方法であって、
(a) 電池、電池外充放電経路、密閉容器、吸気経路形成物、排気経路形成物及び生成機構を備え、前記電池が容器、ナトリウム−硫黄電池の単電池及び電池内充放電経路を備え、前記容器が外壁及び伝熱壁を備え、前記容器の内部に単電池室及び空気室が形成され、前記伝熱壁が前記単電池室及び前記空気室を隔て、前記単電池及び前記電池内充放電経路が前記単電池室に収容され、前記電池外充放電経路及び前記電池内充放電経路が電気的に接続され、前記密閉容器が前記電池及び前記電池外充放電経路を収容し、前記密閉容器の外部から前記空気室へ至る吸気経路が前記吸気経路形成物に形成され、前記排気経路形成物に前記空気室から前記密閉容器の外部へ至る排気経路が形成され、前記生成機構が前記吸気経路、前記空気室及び前記排気経路を順次に流れる空気流を生成する電力貯蔵装置を準備する工程と、
(b) 前記単電池室の冷却の要否を判定する工程と、
(c) 前記単電池室の冷却が必要であると判定した場合に前記空気流を生成し前記単電池室の冷却が不要であると判定した場合に前記空気流を生成しないように前記生成機構を制御する工程と、
を備える電力貯蔵装置の運転方法。
【発明の詳細な説明】
【技術分野】
【０００１】
本発明は、電力貯蔵装置及び電力貯蔵装置の運転方法に関する。
【背景技術】
【０００２】
ナトリウム−硫黄電池（ＮａＳ電池）は、高温で動作する。このため、特許文献１に示すように、ＮａＳ電池においては、単電池、ヒーター等が容器（断熱容器）の内部に収容され、容器の内部の温度が高温に維持される。ただし、特許文献１の段落００１０が言及するように、容器の内部の温度が上昇しすぎることは望ましくないため、必要に応じて容器の内部から外部へ熱が排出される。【０００３】
一方、特許文献２に示すように、ＮａＳ電池を備える電力貯蔵装置（電力貯蔵補償装置）においては、単電池が容器の内部に収容された電池（モジュール電池）がさらに非密閉容器（パッケージ）に収容される場合もある。容器の内部から外部へ排出された熱は、非密閉容器の内部を通過する空気流により非密閉容器の内部から外部へ排出される。【０００４】
特許文献２の段落００３７が言及するように、塩害が発生する可能性がある地域に電力貯蔵装置が設置される場合には、塩害を防止するために耐塩フィルタが非密閉容器の吸気口に設置される。
【先行技術文献】
【特許文献】
【０００５】
【特許文献１】特開２００４−４７２０８号公報
【特許文献２】特開２００８−２２６４８８号公報
【発明の概要】
【発明が解決しようとする課題】
【０００６】
しかし、特許文献２の発明においては、耐塩フィルタの交換費用がかさむ。電池が密閉容器に収容される場合は、耐塩フィルタは不要になるが、密閉容器の内部の温度を適切に維持するために密閉容器の内部を冷却する空調が必要になり、空調の運転費用及び維持費用がかさむ。特に、外気の温度が高い場合は、密閉容器の内部に収容される収容物の温度を許容上限温度より高くしないために必要な電力が増加する。【０００７】
本発明は、これらの問題を解決するためになされる。本発明の目的は、運転費用及び維持費用がかさまず、内部の温度が適切に維持され、塩害等の外気の影響を受けにくい電力貯蔵装置を提供することである。
【課題を解決するための手段】
【０００８】
本発明は、電力貯蔵装置に向けられる。【０００９】
本発明の第１の局面においては、電池、電池外充放電経路、密閉容器、吸気経路形成物、排気経路形成物、生成機構、判定部及び生成制御部が電力貯蔵装置に設けられる。【００１０】
電池は、容器、ナトリウム−硫黄電池の単電池及び電池内充放電経路を備える。【００１１】
容器は、外壁及び伝熱壁を備える。容器の内部には、単電池室及び空気室が形成される。伝熱壁は、単電池室及び空気室を隔てる。単電池及び電池内充放電経路が単電池室に収容される。【００１２】
電池外充放電経路及び電池内充放電経路は、電気的に接続される。【００１３】
密閉容器は、電池及び電池外充放電経路を収容する。【００１４】
吸気経路形成物に形成される吸気経路は、密閉容器の外部から空気室へ至る。【００１５】
排気経路形成物に形成される排気経路は、空気室から密閉容器の外部へ至る。【００１６】
生成機構は、吸気経路、空気室及び排気経路を順次に流れる空気流を生成する。【００１７】
判定部は、単電池室の冷却の要否を判定する。【００１８】
生成制御部は、単電池室の冷却が必要である場合に空気流を生成し、単電池室の冷却が不要である場合に空気流を生成しないように生成機構を制御する。【００１９】
本発明の第２の局面は、本発明の第１の局面にさらなる事項を付加する。【００２０】
本発明の第２の局面においては、第１の温度センサーが電池に設けられる。第１の温度センサーは、単電池室に収容される。判定部は、第１の温度センサーにより計測された温度の上昇が基準以上である場合に単電池室の冷却が必要であると判定する。【００２１】
本発明の第３の局面は、本発明の第２の局面にさらなる事項を付加する。【００２２】
本発明の第３の局面においては、第２の温度センサー及び流量制御部が電力貯蔵装置に設けられる。【００２３】
第２の温度センサーは、密閉容器の外部に配置される。【００２４】
流量制御部は、第２の温度センサーにより計測された温度が高くなるほど空気流の流量が多くなるように生成機構を制御する。【００２５】
本発明の第４の局面は、本発明の第１から第３までのいずれかの局面にさらなる事項を付加する。本発明の第４の局面においては、断熱材が電池にさらに設けられる。【００２６】
断熱材及び空気室は、外壁を挟んで対向する。【００２７】
本発明の第５の局面は、本発明の第１から第４までのいずれかの局面にさらなる事項を付加する。本発明の第５の局面においては、付属機器が電力貯蔵装置に設けられる。【００２８】
密閉容器の内部に電池室及び付属機器室が形成される。電池は、電池室に収容される。付属機器は、付属機器室に収容される。【００２９】
密閉容器は、隔壁を備える。隔壁は、電池室及び付属機器室を隔てる。【００３０】
本発明の第６の局面は、本発明の第５の局面にさらなる事項を付加する。本発明の第６の局面においては、排気経路が付属機器室を経由しない。【００３１】
本発明の第７の局面は、本発明の第１から第６までのいずれかの局面にさらなる事項を付加する。本発明の第７の局面においては、２個以上の単電池が空気室に平行な方向に配列される。【００３２】
本発明は、電力貯蔵装置の運転方法にも向けられる。
【発明の効果】
【００３３】
本発明の第１の局面によれば、運転費用及び維持費用がかさまない。【００３４】
単電池室の冷却が必要である場合に、単電池室から密閉容器の外部へ空気流により熱が排出される。単電池室の冷却が不要である場合に、容器の断熱性が向上する。単電池室の温度が適切に維持される。【００３５】
単電池室から電池室への熱の排出が抑制される。電池室の温度が適切に維持される。【００３６】
吸気経路、空気室及び排気経路以外に外気が侵入しにくい。外気の影響が抑制される。【００３７】
本発明の第２の局面によれば、単電池室の温度が上昇した場合に単電池室から密閉容器の外部へ熱が排出される。単電池室の温度が適切に維持される。【００３８】
本発明の第３の局面によれば、外気の温度が高い場合でも単電池室から密閉容器の外部への熱の排出能力が維持される。単電池室の温度が適切に維持される。【００３９】
本発明の第４の局面によれば、単電池室から密閉容器の内部への熱の伝達が抑制される。密閉容器の内部の温度が適切に維持される。【００４０】
本発明の第５の局面によれば、電池室から付属機器室への熱の伝達が抑制される。付属機器室の温度が適切に維持される。【００４１】
本発明の第６の局面によれば、排気経路から付属機器室への熱の伝達が抑制される。付属機器室の温度が適切に維持される。【００４２】
本発明の第７の局面によれば、２個以上の単電池が均一に放熱される。２個以上の単電池にばらつきが生じにくい。【００４３】
これらの及びこれら以外の本発明の目的、特徴、局面及び利点は、添付図面とともに考慮されたときに下記の本発明の詳細な説明によってより明白となる。
【図面の簡単な説明】
【００４４】
【図１】電力貯蔵装置の正面図である。
【図２】電力貯蔵装置の背面図である。
【図３】電池モジュールの斜視図である。
【図４】電池モジュールの断面図である。
【図５】コントローラーのブロック図である。
【発明を実施するための形態】
【００４５】
（電力貯蔵装置の構成物）
図１及び図２の模式図は、電力貯蔵装置の望ましい実施形態を示す。図１は、正面図である。図２は、背面図である。図３及び図４の模式図は、モジュール電池を示す。図３は、斜視図である。図４は、断面図である。図５のブロック図は、コントローラー等を示す。電力貯蔵装置は、ナトリウム−硫黄電池（ＮａＳ電池）に電力を貯蔵する。電力貯蔵装置は、望ましくは電力系統に接続され、電力の需給の調整、停電防止等に使用される。
【００４６】
図１及び図２に示すように、電力貯蔵装置１０００は、モジュール電池１０２０、モジュール電池外のブスバー１０２１、吸気管１０２２、排気管１０２３、ブロワー１０２４、外部の温度センサー１０２５、付属機器１０２６、コントローラー１０２７、電池架台１０２８及び密閉コンテナ１０２９を備える。
【００４７】
密閉コンテナ１０２９は、外壁１１６０及び隔壁１１６１を備える。
【００４８】
モジュール電池外のブスバー１０２１は、電池間配線１１８０及び非電池間配線１１８１を備える。
【００４９】
図３及び図４に示すように、モジュール電池１０２０は、ＮａＳ電池の単電池１０４０、モジュール電池内のブスバー１０４１、ヒーター１０４２、砂１０４３、モジュール電池端子１０４４、内部の温度センサー１０４５、断熱容器１０４６及び断熱材１０４７を備える。
【００５０】
断熱容器１０４６は、箱体１０６０及び蓋体１０６１を備える。
【００５１】
箱体１０６０は、外壁１０８０を備える。箱体１０６０の外壁１０８０は、底壁１１００及び側壁１１０１を備える。
【００５２】
蓋体１０６１は、外壁１１２０及び伝熱壁１１２１を備える。蓋体１０６１の外壁１１２０は、天壁１１４０及び側壁１１４１を備える。
【００５３】
図５に示すように、コントローラー１０２７は、充放電制御部１２００、ヒーター制御部１２０１、判定部１２０２、生成制御部１２０３及び流量制御部１２０４を備える。
【００５４】
これらの構成物以外の構成物が電力貯蔵装置１０００に追加されてもよい。これらの構成物の一部が電力貯蔵装置１０００から省略される場合もある。モジュール電池１０２０の数が増減されてもよく、モジュール電池１０２０の数が１個であってもよい。単電池１０４０の数が増減されてもよく、単電池１０４０の数が１個であってもよい。
【００５５】
（密閉コンテナの内部の区画）
図１及び図２に示すように、密閉コンテナ１０２９の内部には、電池室１２２０及び付属機器室１２２１が形成される。電池室１２２０及び付属機器室１２２１以外の室が密閉コンテナ１０２９の内部に形成されてもよい。２個以上の電池室１２２０が密閉コンテナ１０２９の内部に形成されてもよい。２個以上の付属機器室１２２１が密閉コンテナ１０２９の内部に形成されてもよい。
【００５６】
電池室１２２０及び付属機器室１２２１は、隔壁１１６１で隔てられる。隔壁１１６１は、電池室１２２０及び付属機器室１２２１の間の空気の流通を阻害し、電池室１２２０から付属機器室１２２１への熱の伝達を抑制する。これにより、電池室１２２０の温度が上昇した場合でも付属機器室１２２１の温度が上昇しにくくなり、付属機器室１２２１の温度が適切に維持される。ただし、隔壁１１６１が省略され、電池室１２２０から区画される付属機器室１２２１が形成されない場合も、後記の空気流ＦＬによる熱の排出の効用は維持される。隔壁１１６１が真空断熱構造等の断熱構造を有してもよい。
【００５７】
（断熱容器の内部の区画）
図３及び図４に示すように、断熱容器１０４６の内部には、単電池室１２４０及び空気室１２４１が形成される。単電池室１２４０及び空気室１２４１以外の室が断熱容器１０４６の内部に形成されてもよい。２個以上の単電池室１２４０が断熱容器１０４６の内部に形成されてもよい。２個以上の空気室１２４１が断熱容器１０４６の内部に形成されてもよい。
【００５８】
単電池室１２４０及び空気室１２４１は、伝熱壁１１２１で隔てられる。伝熱壁１１２１は、単電池室１２４０及び空気室１２４１の間の空気の流通を阻害するが、単電池室１２４０から空気室１２４１へ熱を良好に伝達する。これにより、単電池室１２４０への外気の侵入が抑制されるが、単電池室１２４０から空気室１２４１へ熱が排出される。空気室１２４１へ排出された熱は、空気流ＦＬにより密閉コンテナ１０２９の外部へ排出される。伝熱壁１１２１は、平板であってもよいが、伝熱壁１１２１の両方又は片方の主面にフィンが形成されてもよい。空気流ＦＬがない場合は、空気室１２４１が良好な断熱層となり、外部への放熱を抑える。
【００５９】
望ましくは、単電池室１２４０は箱体１０６０に形成され、伝熱壁１１２１は蓋体１０６１に設けられ、空気室１２４１は蓋体１０６１に形成される。これにより、空気室１２４１が箱体１０６０に形成された場合と比較して、空気室１２４１に加わる荷重が減少し、モジュール電池１０２０の強度が向上する。ただし、伝熱壁１１２１が箱体１０６０に設けられ空気室１２４１が箱体１０６０に形成される場合も、空気流ＦＬによる熱の排出の効用は維持される。
【００６０】
望ましくは、空気室１２４１は、蓋体１０６１の天壁１１４０に沿って形成される。空気室１２４１は、蓋体１０６１の天壁１１４０及び伝熱壁１１２１に挟まれる空間であり、蓋体１０６１の天壁１１４０、蓋体１０６１の側壁１１４１の天壁１１４０寄りの部分及び伝熱壁１１２１に囲まれる。ただし、空気室１２４１が他の壁に沿って形成される場合も、空気流ＦＬによる熱の排出の効用は維持される。
【００６１】
（構成物の配置）
図１及び図２に示すように、モジュール電池１０２０、電池間配線１１８０及び電池架台１０２８は、電池室１２２０に収容される。ブロワー１０２４、付属機器１０２６及びコントローラー１０２７は、付属機器室１２２１に収容される。非電池間配線１１８１は、隔壁１１６１を貫通して電池室１２２０及び付属機器室１２２１にまたがって収容される。吸気管１０２２の主要部は、隔壁１１６１を貫通して電池室１２２０及び付属機器室１２２１にまたがって収容される。排気管１０２３の主要部は、電池室１２２０に収容される。
【００６２】
密閉コンテナ１０２９の内部に収容される構成物のうち、モジュール電池１０２０等のように許容上限温度が相対的に高い構成物は電池室１２２０に収容され、付属機器１０２６等の許容上限温度が相対的に低い構成物は付属機器室１２２１に収容される。付属機器１０２６には、例えば、ケーブル、端子台、計測機器等がある。
【００６３】
モジュール電池１０２０は、電池架台１０２８に載せられる。「架台」とは呼びがたい構造物にモジュール電池１０２０が収容されてもよい。モジュール電池１０２０は、相互に離され、密閉コンテナ１０２９の外壁１１６０及び隔壁１１６１から離される。
【００６４】
外部の温度センサー１０２５は、密閉コンテナ１０２９の外部に配置される。
【００６５】
図３及び図４に示すように、単電池１０４０、モジュール電池内のブスバー１０４１、ヒーター１０４２、砂１０４３及び内部の温度センサー１０４５は、単電池室１２４０に収容される。モジュール電池端子１０４４は、箱体１０６０の外壁１０８０を貫通して単電池室１２４０及び断熱容器１０４６の外部にまたがる。空気室１２４１は、望ましくは空気のみが流れる空間である。空気室１２４１には、少なくとも電気機器は収容されない。
【００６６】
単電池１０４０は、砂１０４３に埋設される。単電池１０４０は、相互に離される。
【００６７】
ヒーター１０４２は、望ましくは箱体１０６０の外壁１０８０に沿って設置され、さらに望ましくは箱体１０６０の底壁１１００に沿って設置される。
【００６８】
図３及び図４に示すように、２個以上の単電池１０４０は、空気室１２４１に平行な方向に配列される。これにより、２個以上の単電池１０４０が均一に放熱され、２個以上の単電池１０４０にばらつきが生じにくくなる。ただし、単電池１０４０の数が１個であってもよく、２個以上の単電池１０４０が空気室１２４１に平行な方向とは異なる方向に配列されてもよい。
【００６９】
（熱の排出）
図３及び図４に示すように、蓋体１０６１の外壁１１２０には、吸気口１２６０及び排気口１２６１が形成される。吸気口１２６０及び排気口１２６１は、空気室１２４１に接続される。空気室１２４１が箱体１０６０に形成される場合は、吸気口１２６０及び排気口１２６１は箱体１０６０の外壁１０８０に形成される。
【００７０】
図１及び図２に示すように、吸気管１０２２には、吸気経路１２８０が形成される。排気管１０２３には、排気経路１２８１が形成される。吸気管１０２２及び排気管１０２３が「管」とは呼びがたい構造物に置き換えられてもよい。例えば、吸気管１０２２が立体物に吸気経路１２８０が形成された構造物に置き換えられてもよい。排気管１０２３が立体物に排気経路１２８１が形成された構造物に置き換えられてもよい。
【００７１】
吸気経路１２８０の一端は吸気口１２６０に接続され、吸気経路１２８０の他端は密閉コンテナ１０２９の外部に露出する。吸気経路１２８０は、密閉コンテナ１０２９の外部から空気室１２４１へ至る。排気経路１２８１の一端は排気口１２６１に接続され、排気経路１２８１の他端は密閉コンテナ１０２９の外部に露出する。排気経路１２８１は、空気室１２４１から密閉コンテナ１０２９の外部に至る。これにより、密閉コンテナ１０２９の外部から空気室１２４１を経由して密閉コンテナ１０２９の外部へ至る空気流ＦＬの経路が形成され、密閉コンテナ１０２９の外部の空気（以下では「外気」という。）を空気室１２４１に流すことができる。
【００７２】
ブロワー１０２４は、吸気経路１２８０、空気室１２４１及び排気経路１２８１を順次に流れる空気流ＦＬを生成する。これにより、空気室１２４１から密閉コンテナ１０２９の外部へ空気流ＦＬにより熱が排出され、単電池室１２４０が冷却される。また、断熱容器１０４６の内部から電池室１２２０への熱の伝達が抑制され、電池室１２２０の温度が上昇しにくくなり、電池室１２２０の温度が適切に維持される。さらに、吸気経路１２８０、空気室１２４１及び排気経路１２８１以外に外気が侵入しにくくなり、塩害等の外気の影響が抑制される。例えば、電池室１２２０が塩害で腐食したりすること、電池室１２２０において絶縁性が低下すること等が発生しにくくなる。
【００７３】
ブロワー１０２４が他の種類の送風機に置き換えられてもよい。例えば、ブロワー１０２４がファンに置き換えられてもよい。
【００７４】
ブロワー１０２４は、吸気経路１２８０に挿入される。これにより、ブロワー１０２４が熱の影響を受けにくくなる。ただし、ブロワー１０２４のような送気機構を吸気経路１２８０に挿入することに代えて、ポンプのような吸気機構を排気経路１２８１に挿入することも許される。
【００７５】
排気経路１２８１は、排気口１２６１から付属機器室１２２１を経由せずに密閉コンテナ１０２９の外部へ至る。これにより、排気経路１２８１から付属機器室１２２１への熱の伝達が抑制される。付属機器室１２２１の温度が上昇しにくくなり、付属機器室１２２１の温度が適切に維持される。
【００７６】
２個以上のモジュール電池１０２０が同期して充放電される場合は、２個以上のモジュール電池１０２０のいずれにおいても単電池室１２４０の温度は同程度になる。このため、空気流ＦＬの生成のタイミングがモジュール電池１０２０ごとに独立していなくてもよく、２個以上のモジュール電池１０２０に共通の１台のブロワー１０２４が準備されればよい。ただし、２個以上のモジュール電池１０２０の各々に１個のブロワー１０２４が準備され、空気流ＦＬの生成のタイミングがモジュール電池１０２０ごとに独立させられる場合もある。
【００７７】
（断熱容器）
図３及び図４に示すように、断熱容器１０４６は、箱体１０６０の開口に蓋体１０６１がかぶせられ、単電池室１２４０が伝熱壁１１２１で閉塞された構造を有する。この構造によれば、単電池室１２４０への単電池１０４０等の収容が容易になり、単電池室１２４０から空気室１２４１へ熱が伝達されやすくなる。ただし、断熱容器１０４６が他の構造を有してもよい。断熱容器１０４６が箱体１０６０及び蓋体１０６１に分離しない構造を有してもよい。
【００７８】
蓋体１０６１の側壁１１４１及び箱体１０６０の外壁１０８０は、真空断熱構造を有する。これにより、断熱容器１０４６の内部から電池室１２２０への熱の伝達が抑制され、電池室１２２０の温度の上昇が抑制され、電池室１２２０の温度が適切に維持される。蓋体１０６１の側壁１１４１及び箱体１０６０の外壁１０８０が真空断熱構造以外の断熱構造を有してもよい。例えば、蓋体１０６１の側壁１１４１及び箱体１０６０の外壁１０８０に断熱材が埋設されてもよい。蓋体１０６１の天壁１１４０は、真空断熱構造を有しない。ただし、蓋体１０６１の天壁１１４０が真空断熱構造を有してもよい。
【００７９】
（断熱材）
図３及び図４に示すように、断熱材１０４７は、蓋体１０６１の天壁１１４０に取り付けられる。断熱材１０４７が蓋体１０６１の天壁１１４０以外に取り付けられてもよい。例えば、断熱材１０４７が蓋体１０６１の側壁１１４１に取り付けられてもよい。断熱材１０４７は、蓋体１０６１の天壁１１４０を挟んで空気室１２４１と対向する。これにより、空気室１２４１から電池室１２２０への熱の伝達が抑制され、電池室１２２０の温度が上昇しにくくなり、電池室１２２０の温度が適切に維持される。ただし、断熱材１０４７が省略される場合も、空気流ＦＬによる熱の排出の効用は維持される。
【００８０】
（コントローラー）
コントローラー１０２７は、制御プログラムがインストールされたコンピューターである。コントローラー１０２７は、制御プログラムを実行し、電力貯蔵装置１０００の構成物を制御する。１個のコンピューターがコントローラー１０２７の機能を担ってもよいし、２個以上のコンピューターが分担してコントローラー１０２７の機能を担ってもよい。制御プログラムを伴わないハードウエアがコントローラー１０２７の機能の一部又は全部を担ってもよい。ハードウエアは、例えば、オペアンプ、コンパレーター等を備える電子回路である。コントローラー１０２７による冷却の制御は、２個以上のモジュール電池１０２０ごとに独立していてもよいし独立していなくてもよい。コントローラー１０２７による制御の一部又は全部が操作者の運転操作に置き換えられてもよい。
【００８１】
（充放電制御部及びヒーター制御部）
充放電制御部１２００は、モジュール電池１０２０への充電及びモジュール電池１０２０からの放電を制御する。ヒーター制御部１２０１は、ヒーター１０４２を制御する。
【００８２】
（判定部）
判定部１２０２は、単電池室１２４０の冷却の要否を判定する。
【００８３】
判定部１２０２は、例えば、充放電制御部１２００が充放電を行っており内部の温度センサー１０４５により計測された単電池室１２４０の温度の上昇が基準以上である場合に、単電池室１２４０の冷却が必要であると判定する。判定部１２０２は、典型的には、単電池室１２４０の温度が基準値（閾値）以上となった場合に単電池室１２４０の温度の上昇が基準以上であると判定する。ただし、単電池室１２４０の温度の上昇速度、充放電電流、充放電電力等の他の因子が考慮されてもよい。単電池室１２４０の温度の上昇は、モジュール電池１０２０からの放電が行われている場合に発生しやすい。充放電の実行の有無にかかわらず単電池室１２４０の温度の上昇が基準以上である場合に単電池室１２４０の冷却が必要であると判定されてもよい。
【００８４】
判定部１２０２は、例えば、ヒーター制御部１２０１がヒーター１０４２を動作させている場合に単電池室１２４０の冷却が不要であると判定する。
【００８５】
（生成制御部）
生成制御部１２０３は、判定部１２０２の判定結果に基づいてブロワー１０２４を制御する。生成制御部１２０３は、冷却が必要である場合にブロワー１０２４を動作させ、空気流ＦＬを生成し、冷却が不要である場合にブロワー１０２４を動作させず、空気流ＦＬを生成しない。空気流ＦＬが生成する場合は、単電池室１２４０から密閉コンテナ１０２９の外部へ空気流ＦＬにより熱が排出され、単電池室１２４０が冷却される。空気流ＦＬが生成しない場合は、単電池室１２４０から熱が排出されにくくなり、断熱容器１０４６の断熱性が向上する。
【００８６】
これにより、単電池室１２４０の冷却が必要である場合に単電池室１２４０が冷却され、単電池室１２４０の冷却が不要である場合に断熱容器１０４６の断熱性が向上し、単電池室１２４０の温度が適切に維持される。ヒーター１０４２が動作している場合に単電池室１２４０が冷却されないので、ヒーター１０４２の消費電力が減少し、電力貯蔵装置１０００の電力損失が減少する。
【００８７】
流量制御部１２０４は、外部の温度センサー１０２５により計測された外気の温度が高くなるほど空気流ＦＬの流量が多くなるようにブロワー１０２４を制御する。これにより、外気の温度が高い場合でも単電池室１２４０から密閉コンテナ１０２９の外部への熱の排出能力が維持され、単電池室１２４０の温度が適切に維持される。ただし、空気流ＦＬの流量が一定である場合も空気流ＦＬによる熱の排出の効用は維持される。ブロワー１０２４が間欠運転され、外気の温度が高くなるほどブロワー１０２４が運転される時間が占める比率が高くなるようにしてもよい。
【００８８】
（充放電経路）
図１及び図２に示すように、モジュール電池外のブスバー１０２１は、密閉コンテナ１０２９の内部におけるモジュール電池１０２０の充放電経路となる。モジュール電池内のブスバー１０４１は、モジュール電池１０２０の内部における単電池１０４０の充放電経路となる。ブスバー１０２１及び１０４１は、モジュール電池端子１０４４を介して電気的に接続される。モジュール電池端子１０４４が省略され、ブスバー１０２１及び１０４１が直結されてもよい。
【００８９】
ブスバー１０２１及び１０４１は、銅、アルミニウム等の導電体からなる。ブスバー１０２１及び１０４１は、断面形状が長方形である棒形状体である。ブスバー１０２１及び１０４１は、絶縁被覆に被覆されない裸配線である。ブスバー１０２１及び１０４１が絶縁被覆に被覆されない場合は、ブスバー１０２１及び１０４１の耐熱性が向上するが、ブスバー１０２１及び１０４１が塩害等の外気の影響を受けやすくなる。しかし、電力貯蔵装置１０００においては、モジュール電池外のブスバー１０２１が収容される電池室１２２０及び付属機器室１２２１に外気が侵入しにくく、モジュール電池内のブスバー１０４１が収容される単電池室１２４０に外気が侵入しにくい。このため、ブスバー１０２１及び１０４１が塩害等の外気の影響を受けやすい場合も大きな問題は生じない。また、本冷却方法を用いることにより電池室１２２０の温度は絶縁被覆の許容温度以下とすることもできるので、ブスバー１０２１及び１０４１が、絶縁被覆に被覆されてもよいし、他の種類の配線材に置き換えられてもよい。
【００９０】
（密閉コンテナの密閉性）
密閉コンテナ１０２９は、密閉コンテナ１０２９の内部に収容された収容物に影響を与える外気の侵入を阻害する程度の密閉性を有する密閉容器である。真空容器に要求される程度の密閉性は密閉コンテナ１０２９には要求されない。
【００９１】
電力貯蔵装置１０００によれば、塩害対策のための維持費用がかさまない。
【００９２】
本発明は詳細に示され記述されたが、上記の記述は全ての局面において例示であって限定的ではない。しがって、本発明の範囲からはずれることなく無数の修正及び変形が案出されうると解される。
【符号の説明】
【００９３】
１０００  電力貯蔵装置
１０２０  モジュール電池
１０２１  モジュール電池外のブスバー
１０２２  吸気管
１０２３  排気管
１０２４  ブロワー
１０２５  外部の温度センサー
１０２６  付属機器
１０２７  コントローラー
１０２９  密閉コンテナ
１０４０  単電池
１０４１  モジュール電池内のブスバー
１０４５  内部の温度センサー
１０４６  断熱容器
１０４７  断熱材
【図１】
0005972912.tif 000002
【図２】
0005972912.tif 000003
【図３】
0005972912.tif 000004
【図４】
0005972912.tif 000005
【図５】
0005972912.tif 000006